(57)【要約】【課題】従来よりも容易にバックホール回線を構築可能にする技術が望まれていた。【解決手段】第１無線基地局と、第１無線基地局に通信接続された第１無線通信制御装置と、コアネットワークに通信接続された第２無線基地局及び第２無線通信制御装置とを備え、第２無線通信制御装置が、第１無線基地局のカバーエリア内に存在する第１無線通信端末宛のデータをコアネットワークから受信して、第２無線基地局のカバーエリア内に存在して第１無線基地局に通信接続された第２無線通信端末宛のデータとしてカプセル化し、第１無線通信制御装置が、第１カプセル化部によってカプセル化されたデータを第２無線通信端末を用いて受信して、デカプセル化し、デカプセル化したデータを第１無線基地局に送信する、無線通信システムを提供する。【選択図】図２
2017017643.tif 000002
【特許請求の範囲】
【請求項１】
第１無線基地局と、
コアネットワークに通信接続された第２無線基地局と、
前記第１無線基地局に通信接続された第１無線通信制御装置と、
前記コアネットワークに通信接続された第２無線通信制御装置と
を備え、
前記第２無線通信制御装置は、
前記第１無線基地局のカバーエリア内に存在する第１無線通信端末宛のデータを、前記コアネットワークから受信する第１データ受信部と、
前記第１データ受信部が受信した前記第１無線通信端末宛のデータを、前記第２無線基地局のカバーエリア内に存在して前記第１無線基地局に通信接続された第２無線通信端末宛のデータとしてカプセル化する第１カプセル化部と、
前記第１カプセル化部によってカプセル化されたデータを前記コアネットワークに送信する第２データ送信部と
を有し、
前記第１無線通信制御装置は、
前記第１カプセル化部によってカプセル化されたデータを、前記第２無線通信端末を用いて受信する第２データ受信部と、
前記第２データ受信部が受信したデータをデカプセル化する第１デカプセル化部と、
前記第１デカプセル化部によってデカプセル化されたデータを前記第１無線基地局に送信する第１データ送信部と
を有する、無線通信システム。
【請求項２】
前記第１無線通信制御装置は、
前記第１無線通信端末から送信された他の通信機器宛のデータを、前記第１無線基地局から受信する第３データ受信部と、
前記第３データ受信部が受信した前記他の通信機器宛のデータを、前記第２無線通信制御装置宛のデータとしてカプセル化する第２カプセル化部と、
前記第２カプセル化部によってカプセル化された前記第２無線通信制御装置宛のデータを、前記第２無線通信端末を用いて前記第２無線基地局に送信する第３データ送信部と
を有し、
前記第２無線通信制御装置は、
前記第３データ送信部によって送信されたデータを受信する第４データ受信部と、
前記第４データ受信部が受信したデータをデカプセル化する第２デカプセル化部と、
前記第２デカプセル化部がデカプセル化したデータを前記コアネットワークに送信する第４データ送信部と
を有する、請求項１に記載の無線通信システム。
【請求項３】
第１無線基地局と、
コアネットワークに通信接続された第２無線基地局と、
前記第１無線基地局に通信接続された第１無線通信制御装置と、
前記コアネットワークに通信接続された第２無線通信制御装置と
を備え、
前記第１無線通信制御装置は、
前記第１無線基地局のカバーエリア内に存在する第１無線通信端末から送信された他の通信機器宛のデータを、前記第１無線基地局から受信する第１データ受信部と、
前記第１データ受信部が受信した前記他の通信機器宛のデータを、前記第２無線通信制御装置宛のデータとしてカプセル化する第１カプセル化部と、
前記第１カプセル化部によってカプセル化された前記第２無線通信制御装置宛のデータを、前記第２無線基地局のカバーエリア内に存在して前記第１無線基地局に通信接続された第２無線通信端末を用いて前記第２無線基地局に送信する第１データ送信部と
を有し、
前記第２無線通信制御装置は、
前記第１データ送信部によって送信されたデータを受信する第２データ受信部と、
前記第２データ受信部が受信したデータをデカプセル化する第１デカプセル化部と、
前記第１デカプセル化部によってデカプセル化されたデータを前記コアネットワークに送信する第２データ送信部と
を有する、無線通信システム。
【請求項４】
第１無線基地局のカバーエリア内に存在する第１無線通信端末宛のデータを、コアネットワークから受信する第１データ受信部と、
前記第１データ受信部が受信した前記第１無線通信端末宛のデータを、前記コアネットワークに通信接続された第２無線基地局のカバーエリア内に存在して前記第１無線基地局に通信接続された第２無線通信端末宛のデータとしてカプセル化するカプセル化部と、
前記カプセル化部によってカプセル化されたデータを前記コアネットワークに送信する第１データ送信部と
を備える無線通信制御装置。
【請求項５】
前記第１無線基地局が前記第１無線通信端末から受信したデータが前記無線通信制御装置宛のデータとしてカプセル化されたデータを、前記第２無線通信端末及び前記第２無線基地局を介して受信する第２データ受信部と、
前記第２データ受信部が受信したデータをデカプセル化するデカプセル化部と、
前記デカプセル化部によってデカプセル化されたデータを前記コアネットワークに送信する第２データ送信部と
をさらに備える、請求項４に記載の無線通信制御装置。
【請求項６】
第１無線基地局のカバーエリア内に存在する第１無線通信端末から送信された他の通信機器宛のデータを、前記第１無線基地局から受信する第１データ受信部と、
前記第１データ受信部が受信した前記他の通信機器宛のデータを、コアネットワークに通信接続された他の無線通信制御装置宛のデータとしてカプセル化するカプセル化部と、
前記カプセル化部によってカプセル化された前記他の無線通信制御装置宛のデータを、前記コアネットワークに通信接続された第２無線基地局のカバーエリア内に存在する第２無線通信端末を用いて送信する第１データ送信部と
を備える無線通信制御装置。
【請求項７】
前記第１無線通信端末宛のデータが前記第２無線通信端末宛のデータとしてカプセル化されたデータを前記第２無線通信端末から受信する第２データ受信部と、
前記第２データ受信部が受信したデータをデカプセル化するデカプセル化部と、
前記デカプセル化部によってデカプセル化されたデータを前記第１無線基地局に送信する第２データ送信部と
をさらに備える、請求項６に記載の無線通信制御装置。
【請求項８】
コンピュータを、請求項４から７のいずれか一項に記載の無線通信制御装置として機能させるためのプログラム。
【発明の詳細な説明】
【技術分野】
【０００１】
本発明は、無線通信システム、無線通信制御装置及びプログラムに関する。
【背景技術】
【０００２】
基地局とコアネットワークとの間を通信接続するバックホール回線として、ＦＷＡ（Ｆｉｘｅｄ  Ｗｉｒｅｌｅｓｓ  Ａｃｃｅｓｓ）システムが知られていた（例えば、特許文献１参照）。
［先行技術文献］
［特許文献］
［特許文献１］特開２０１４−１８３５３８号公報
【発明の概要】
【発明が解決しようとする課題】
【０００３】
従来よりも容易にバックホール回線を構築可能にする技術が望まれていた。
【課題を解決するための手段】
【０００４】
本発明の第１の態様によれば、第１無線基地局と、コアネットワークに通信接続された第２無線基地局と、第１無線基地局に通信接続された第１無線通信制御装置と、コアネットワークに通信接続された第２無線通信制御装置とを備え、第２無線通信制御装置が、第１無線基地局のカバーエリア内に存在する第１無線通信端末宛のデータを、コアネットワークから受信する第１データ受信部と、第１データ受信部が受信した第１無線通信端末宛のデータを、第２無線基地局のカバーエリア内に存在して第１無線基地局に通信接続された第２無線通信端末宛のデータとしてカプセル化する第１カプセル化部と、第１カプセル化部によってカプセル化されたデータをコアネットワークに送信する第２データ送信部とを有し、第１無線通信制御装置が、第１カプセル化部によってカプセル化されたデータを、第２無線通信端末を用いて受信する第２データ受信部と、第２データ受信部が受信したデータをデカプセル化する第１デカプセル化部と、第１デカプセル化部によってデカプセル化されたデータを第１無線基地局に送信する第１データ送信部とを有する、無線通信システムが提供される。
【０００５】
上記無線通信システムにおいて、上記第１無線通信制御装置は、上記第１無線通信端末から送信された他の通信機器宛のデータを、上記第１無線基地局から受信する第３データ受信部と、上記第３データ受信部が受信した上記他の通信機器宛のデータを、上記第２無線通信制御装置宛のデータとしてカプセル化する第２カプセル化部と、上記第２カプセル化部によってカプセル化された上記第２無線通信制御装置宛のデータを、上記第２無線通信端末を用いて上記第２無線基地局に送信する第３データ送信部とを有してよく、上記第２無線通信制御装置は、上記第３データ送信部によって送信されたデータを受信する第４データ受信部と、上記第４データ受信部が受信したデータをデカプセル化する第２デカプセル化部と、上記第２デカプセル化部がデカプセル化したデータをコアネットワークに送信する第４データ送信部とを有してよい。
【０００６】
本発明の第２の態様によれば、第１無線基地局と、コアネットワークに通信接続された第２無線基地局と、第１無線基地局に通信接続された第１無線通信制御装置と、コアネットワークに通信接続された第２無線通信制御装置とを備え、第１無線通信制御装置が、第１無線基地局のカバーエリア内に存在する第１無線通信端末から送信された他の通信機器宛のデータを、第１無線基地局から受信する第１データ受信部と、第１データ受信部が受信した他の通信機器宛のデータを、第２無線通信制御装置宛のデータとしてカプセル化する第１カプセル化部と、第１カプセル化部によってカプセル化された第２無線通信制御装置宛のデータを、第２無線通信端末を用いて第２無線基地局に送信する第１データ送信部とを有し、第２無線通信制御装置が、第１データ送信部によって送信されたデータを受信する第２データ受信部と、第２データ受信部が受信したデータをデカプセル化する第１デカプセル化部と、第１デカプセル化部によってデカプセル化されたデータをコアネットワークに送信する第２データ送信部とを有する、無線通信システムが提供される。
【０００７】
本発明の第３の態様によれば、第１無線基地局のカバーエリア内に存在する第１無線通信端末宛のデータを、コアネットワークから受信する第１データ受信部と、第１データ受信部が受信した第１無線通信端末宛のデータを、コアネットワークに通信接続された第２無線基地局のカバーエリア内に存在して第１無線基地局に通信接続された第２無線通信端末宛のデータとしてカプセル化するカプセル化部と、カプセル化部によってカプセル化されたデータをコアネットワークに送信する第１データ送信部とを備える無線通信制御装置が提供される。
【０００８】
上記無線通信制御装置は、上記第１無線基地局が上記第１無線通信端末から受信したデータが上記無線通信制御装置宛のデータとしてカプセル化されたデータを、上記第２無線通信端末及び上記第２無線基地局を介して受信する第２データ受信部と、上記第２データ受信部が受信したデータをデカプセル化するデカプセル化部と、上記デカプセル化部によってデカプセル化されたデータを上記コアネットワークに送信する第２データ送信部とをさらに備えてよい。
【０００９】
本発明の第４の態様によれば、第１無線基地局のカバーエリア内に存在する第１無線通信端末から送信された他の通信機器宛のデータを、第１無線基地局から受信する第１データ受信部と、第１データ受信部が受信した他の通信機器宛のデータを、コアネットワークに通信接続された他の無線通信制御装置宛のデータとしてカプセル化するカプセル化部と、カプセル化部によってカプセル化された他の無線通信制御装置宛のデータを、コアネットワークに通信接続された第２無線基地局のカバーエリア内に存在する第２無線通信端末を用いて送信する第１データ送信部とを備える無線通信制御装置が提供される。
【００１０】
上記無線通信制御装置は、上記第１無線通信端末宛のデータが上記第２無線通信端末宛のデータとしてカプセル化されたデータを上記第２無線通信端末から受信する第２データ受信部と、上記第２データ受信部が受信したデータをデカプセル化するデカプセル化部と、上記デカプセル化部によってデカプセル化されたデータを上記第１無線基地局に送信する第２データ送信部とをさらに備えてよい。
【００１１】
本発明の第５の態様によれば、コンピュータを、上記無線通信制御装置として機能させるためのプログラムが提供される。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】無線通信システム１００の一例を概略的に示す。
【図２】無線通信システム１００の一例を概略的に示す。
【図３】無線通信システム１００によるデータの流れの一例を概略的に示す。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、無線通信システム１００の一例を概略的に示す。無線通信システム１００は、無線基地局１１０、無線基地局１２０、無線通信制御装置２１０及び無線通信制御装置２２０を備える。
【００１６】
無線基地局１２０は、コアネットワーク１０に通信接続されている。無線基地局１２０は、光回線等の有線回線を介してコアネットワーク１０に通信接続されていてよい。無線基地局１２０は、ＬＴＥ（Ｌｏｎｇ  Ｔｅｒｍ  Ｅｖｏｌｕｔｉｏｎ）方式の無線通信に対応した無線基地局であってよい。すなわち、無線基地局１２０は、ｅＮｏｄｅＢ（ｅｖｏｌｖｅｄ  Ｎｏｄｅ  Ｂ）であってよい。また、無線基地局１２０は、３Ｇ（３ｒｄ  Ｇｅｎｅｒａｔｉｏｎ）方式又は４Ｇ（４ｔｈ  Ｇｅｎｅｒａｔｉｏｎ）方式の無線通信に対応した無線基地局であってもよい。
【００１７】
無線基地局１１０は、ＬＴＥ方式の無線通信に対応した無線基地局であってよい。すなわち、無線基地局１２０は、ｅＮｏｄｅＢであってよい。また、無線基地局１２０は、３Ｇ方式又は４Ｇ方式の無線通信に対応した無線基地局であってもよい。
【００１８】
無線基地局１２０は、いわゆる通常の無線基地局であってよい。無線基地局１１０は、無線通信システム１００によってカバーできるエリアを拡大する場合や、通信容量を増大させる場合に用いられる無線基地局であってよい。例えば、無線基地局１１０は既存の無線基地局の通信エリアを拡大したい場合等に用いられる。また、例えば、無線基地局１１０は、既存の無線基地局の通信エリアによってカバーされない地域に、独立した通信エリアを形成したい場合に用いられてもよい。無線基地局１１０は、一時的に用いられる無線基地局であってよく、また、永続的に用いられる無線基地局であってもよい。無線基地局１１０は、移動可能な無線基地局であってよく、例えば、移動無線車である。また、無線基地局１１０は、固定設置される無線基地局であってもよい。
【００１９】
本実施形態に係る無線通信システム１００は、無線通信制御装置２１０、無線通信制御装置２２０及び無線通信端末３２０によって、無線基地局１１０に対するバックホール回線を構築する。
【００２０】
無線通信制御装置２２０は、コアネットワーク１０に通信接続されている。無線通信制御装置２２０は、有線回線を介してコアネットワーク１０に通信接続されてよい。なお、無線通信制御装置２１０は、コアネットワーク１０と無線通信してもよい。
【００２１】
無線通信制御装置２１０は、無線基地局１１０に通信接続されている。無線通信制御装置２１０は、有線回線を介して無線基地局１１０に通信接続されてよい。なお、無線通信制御装置２１０は、無線基地局１１０と無線通信してもよい。
【００２２】
無線通信端末３２０は、無線通信制御装置２１０に通信接続されている。無線通信端末３２０は、有線回線を介して無線通信制御装置２１０に通信接続されてよい。さらに、無線通信端末３２０は、無線基地局１２０のカバーエリア１２２内に存在して無線基地局１２０と無線通信接続を確立する。
【００２３】
コアネットワーク１０側から無線通信端末３２２宛に送信されるデータは、コアネットワーク１０から無線基地局１２０に送信されて、無線基地局１２０が、無線通信接続を介して無線通信端末３２２にデータを送信する。
【００２４】
コアネットワーク１０側から、無線基地局１１０のカバーエリア１１２内に存在して無線基地局１１０と無線通信接続を確立している無線通信端末３１０宛に送信されるデータは、まず、コアネットワーク１０から無線通信制御装置２２０に送信される。無線通信制御装置２２０は、受信したデータを、無線通信端末３２０宛のデータとしてカプセル化する。そして、無線通信制御装置２２０は、カプセル化データを、コアネットワーク１０を経由して無線基地局１２０に対して送信する。無線基地局１２０は、カプセル化データの宛先に従って、カプセル化データを、無線通信接続を介して無線通信端末３２０に送信する。
【００２５】
無線通信端末３２０は、受信したカプセル化データを、無線通信制御装置２１０に対して送信する。無線通信制御装置２１０は、受信したカプセル化データをデカプセル化する。そして、無線通信制御装置２１０は、デカプセル化したデータを無線基地局１１０に送信する。無線基地局１１０は、データの宛先に従って、データを、無線通信接続を介して無線通信端末３１０に送信する。
【００２６】
一方、無線通信端末３１０から、コアネットワーク１０に通信接続された他の通信機器宛のデータが無線基地局１１０に対して送信された場合、無線基地局１１０は、受信したデータを無線通信制御装置２１０に送信する。コアネットワーク１０に通信接続された他の通信機器とは、コアネットワーク１０に直接通信接続された通信機器であってよく、また、コアネットワーク１０に間接的に通信接続された通信機器であってよい。コアネットワーク１０に間接的に通信接続された通信機器とは、他のネットワークを介してコアネットワーク１０に通信接続された通信機器であってよく、例えば、インターネットに通信接続された通信機器であってよい。通信機器とは、通信機能を有する任意の機器であってよい。無線通信制御装置２１０は、受信したデータを、無線通信制御装置２２０宛のデータとしてカプセル化する。そして、無線通信制御装置２１０は、カプセル化データを、無線通信端末３２０を用いて無線基地局１２０に送信する。
【００２７】
無線基地局１２０は、受信したカプセル化データを、コアネットワーク１０を経由して無線通信制御装置２２０に送信する。無線通信制御装置２２０は、受信したカプセル化データをデカプセル化する。そして、無線通信制御装置２２０は、デカプセル化したデータを、コアネットワーク１０に対して送信する。
【００２８】
上述したように、本実施形態に係る無線通信システム１００は、無線通信制御装置２２０、無線通信端末３２０及び無線通信制御装置２１０によって、無線基地局１１０に対するバックホール回線を構築する。従来のように、ＦＷＡを用いてバックホール回線を構築する場合、精確な指向性が求められること等から、基地局の設置が容易ではなく、また、設置後の移動が難しい。また、見通し内での使用に限定される。また、新たに光回線を敷設する場合、開通に工事が必要であることから、必要なコスト及び時間が増加してしまい、また、敷設できる場所に制限がある。これに対して、本実施形態に係る無線通信システム１００によれば、カバーエリア１２２内に無線通信端末３２０を配置すればバックホール回線を構築することができるので、設置が容易であり、また、設置場所の自由度も高い。また、複数の無線基地局に対して容易にバックホール回線を提供することができる。
【００２９】
なお、無線通信制御装置２１０及び無線通信制御装置２２０はそれぞれ、ルータ機器であってよい。無線通信端末３１０、無線通信端末３２２及び無線通信端末３２０はそれぞれ、無線基地局１１０及び無線基地局１２０と無線通信接続を確立することができればどのような端末であってもよい。例えば、無線通信端末３１０、無線通信端末３２２及び無線通信端末３２０は、スマートフォン等の携帯電話である。無線通信端末３１０、無線通信端末３２２及び無線通信端末３２０は、タブレット端末及びＰＣ（Ｐｅｒｓｏｎａｌ  Ｃｏｍｐｕｔｅｒ）であってもよい。
【００３０】
図２は、無線通信システム１００の一例を概略的に示す。図２は、無線通信制御装置２２０及び無線通信制御装置２１０の機能構成を概略的に示す。
【００３１】
無線通信制御装置２２０は、データ受信部２２１、カプセル化部２２２、データ送信部２２３、データ受信部２２６、デカプセル化部２２７及びデータ送信部２２８を備える。無線通信制御装置２１０は、データ受信部２１１、デカプセル化部２１２、データ送信部２１３、データ受信部２１６、カプセル化部２１７及びデータ送信部２１８を備える。コアネットワーク１０は、スイッチ１２及びＥＰＣ（Ｅｖｏｌｖｅｄ  Ｐａｃｋｅｔ  Ｃｏｒｅ）１４を含む。スイッチ１２は、Ｌ３スイッチであってよい。スイッチ１２は、データの転送を実行できればよく、ルータ等であってもよい。
【００３２】
データ受信部２２１は、無線通信端末３１０宛のデータをＥＰＣ１４から受信する。ＥＰＣ１４は、スイッチ１２から無線通信端末３１０宛のデータを受信した場合、当該データを無線通信制御装置２２０に送信してよい。ＥＰＣ１４は、無線通信端末３２２宛のデータを受信した場合には、当該データを無線基地局１２０に送信してよい。
【００３３】
カプセル化部２２２は、データ受信部２２１が受信したデータを、無線通信端末３２０宛のデータとしてカプセル化する。データ送信部２２３は、カプセル化部２２２によってカプセル化されたカプセル化データを、ＥＰＣ１４に送信する。データ送信部２２３は、カプセル化データを、スイッチ１２を介してＥＰＣ１４に送信してよい。
【００３４】
ＥＰＣ１４は、カプセル化データの宛先に従って、無線通信端末３２０が無線通信接続を確立している無線基地局１２０にカプセル化データを送信する。無線基地局１２０は、受信したカプセル化データを、無線通信接続を介して無線通信端末３２０に送信する。無線通信端末３２０は、受信したカプセル化データを無線通信制御装置２１０に送信する。
【００３５】
データ受信部２１１は、無線通信端末３２０が送信したカプセル化データを受信する。デカプセル化部２１２は、データ受信部２１１が受信したカプセル化データをデカプセル化する。データ送信部２１３は、デカプセル化部２１２によってデカプセル化されたデータの宛先に従って、当該データを、無線通信端末３１０が無線通信接続を確立している無線基地局１１０に対して送信する。そして、無線基地局１１０は、当該データを、無線通信接続を介して、無線通信端末３１０に送信する。
【００３６】
データ受信部２１６は、無線通信端末３１０によって無線基地局１１０に送信された、コアネットワーク１０に通信接続された他の通信機器宛のデータを、無線基地局１１０から受信する。カプセル化部２１７は、データ受信部２１６が受信したデータを、無線通信制御装置２２０宛のデータとしてカプセル化する。データ送信部２１８は、カプセル化部２１７によってカプセル化されたカプセル化データを、無線通信端末３２０を用いて無線基地局１２０に送信する。無線基地局１２０は、受信したカプセル化データをＥＰＣ１４に送信する。
【００３７】
データ受信部２２６は、ＥＰＣ１４から、カプセル化部２１７によってカプセル化されたカプセル化データを受信する。データ受信部２２６は、スイッチ１２を介してカプセル化データを受信してよい。デカプセル化部２２７は、データ受信部２２６が受信したカプセル化データをデカプセル化する。データ送信部２２８は、デカプセル化部２２７によってデカプセル化されたデータの宛先に従って、当該データをコアネットワーク１０に送信する。データ送信部２２８は、デカプセル化されたデータをＥＰＣ１４に送信してよい。
【００３８】
上述したように、無線通信制御装置２２０をスイッチ１２とＥＰＣ１４との間に配置して、ＥＰＣ１４から受信した無線通信端末３１０宛のデータをカプセル化してスイッチ１２を介してＥＰＣ１４に戻し、かつ、スイッチ１２から受信したコアネットワーク１０宛のカプセル化データをデカプセル化してＥＰＣ１４に送信する構造、すなわち、ループ構造を採用することによって、無線基地局１１０に対応するＥＰＣと無線基地局１２０に対応するＥＰＣとの２つのＥＰＣを用いることなく、１つのＥＰＣ１４によって、無線基地局１１０及び無線基地局１２０の両方に対応することが可能となる。
【００３９】
図３は、無線通信システム１００によるデータの流れの一例を概略的に示す。図３に示す処理は、無線通信端末３１０が無線基地局１１０と無線通信接続を確立していて位置登録が完了しており、無線通信端末３２０及び無線通信端末３２２が無線基地局１２０と無線通信接続を確立していて位置登録が完了している状態を開始状態として説明する。
【００４０】
ステップ３０２（ステップをＳと省略して記載する場合がある。）では、無線通信端末３２２宛のデータを受信したＥＰＣ１４が、当該データを無線基地局１２０に送信する。Ｓ３０４では、無線基地局１２０が、Ｓ３０２で受信したデータを、無線通信接続を介して無線通信端末３２２に送信する。
【００４１】
Ｓ３０６では、無線通信端末３１０宛のデータを受信したＥＰＣ１４が、当該データを無線通信制御装置２２０に送信する。Ｓ３０８では、無線通信制御装置２２０が、Ｓ３０６で受信したデータを無線通信端末３２０宛のデータとしてカプセル化したカプセル化データをＥＰＣ１４に対して送信する。
【００４２】
Ｓ３１０では、ＥＰＣ１４が、Ｓ３０８で受信したカプセル化データを無線基地局１２０に送信する。Ｓ３１２では、無線基地局１２０が、Ｓ３１０で受信したカプセル化データを、無線通信接続を介して無線通信端末３２０に送信する。Ｓ３１４では、無線通信端末３２０が、Ｓ３１２で受信したカプセル化データを無線通信制御装置２１０に送信する。
【００４３】
Ｓ３１６では、無線通信制御装置２１０が、Ｓ３１４で受信したカプセル化データをデカプセル化したデータを、無線基地局１１０に送信する。Ｓ３１８では、無線基地局１１０が、Ｓ３１６で受信したデータを、無線通信接続を介して無線通信端末３１０に送信する。
【００４４】
Ｓ３２０では、無線通信端末３１０が、コアネットワーク１０に通信接続された他の通信機器宛のデータを、無線通信接続を介して無線基地局１１０に送信する。Ｓ３２２では、無線基地局１１０が、Ｓ３２０で受信したデータを無線通信制御装置２１０に送信する。
【００４５】
Ｓ３２４では、無線通信制御装置２１０が、Ｓ３２２で受信したデータを無線通信制御装置２２０宛のデータとしてカプセル化したカプセル化データを、無線通信端末３２０に送信する。Ｓ３２６では、無線通信端末３２０が、Ｓ３２４で受信したカプセル化データを、無線通信接続を介して無線基地局１２０に送信する。
【００４６】
Ｓ３２８では、無線基地局１２０が、Ｓ３２６で受信したカプセル化データをＥＰＣ１４に送信する。Ｓ３３０では、ＥＰＣ１４が、Ｓ３２８で受信したカプセル化データを無線通信制御装置２２０に送信する。Ｓ３３２では、無線通信制御装置２２０が、Ｓ３３０で受信したカプセル化データをデカプセル化したデータを、ＥＰＣ１４に送信する。
【００４７】
上述したデータの流れを実現することによって、既設の無線基地局１２０を利用して、無線基地局１１０に対するバックホール回線を構築することができる。
【００４８】
なお、上記実施形態では、無線通信制御装置２１０が無線基地局１１０と別体である場合を例に挙げて説明したが、これに限らない。無線基地局１１０が、無線通信制御装置２１０を有してもよい。
【００４９】
以上の説明において、無線通信制御装置２１０及び無線通信制御装置２２０の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、無線通信制御装置２１０又は無線通信制御装置２２０として機能してもよい。プログラムは、コンピュータ読み取り可能な媒体又はネットワークに接続された記憶装置から、無線通信制御装置２１０又は無線通信制御装置２２０の少なくとも一部を構成するコンピュータにインストールされてよい。
【００５０】
コンピュータにインストールされ、コンピュータを本実施形態に係る無線通信制御装置２１０又は無線通信制御装置２２０として機能させるプログラムは、ＣＰＵ等に働きかけて、コンピュータを、無線通信制御装置２１０又は無線通信制御装置２２０の各部としてそれぞれ機能させる。これらのプログラムに記述された情報処理は、コンピュータに読込まれることにより、ソフトウエアと無線通信制御装置２１０又は無線通信制御装置２２０のハードウエア資源とが協働した具体的手段として機能する。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５３】
１０  コアネットワーク、１２  スイッチ、１４  ＥＰＣ、１００  無線通信システム、１１０  無線基地局、１１２  カバーエリア、１２０  無線基地局、１２２  カバーエリア、２１０  無線通信制御装置、２１１  データ受信部、２１２  デカプセル化部、２１３  データ送信部、２１６  データ受信部、２１７  カプセル化部、２１８  データ送信部、２２０  無線通信制御装置、２２１  データ受信部、２２２  カプセル化部、２２３  データ送信部、２２６  データ受信部、２２７  デカプセル化部、２２８  データ送信部、３１０  無線通信端末、３２０  無線通信端末、３２２  無線通信端末
【図１】
2017017643.tif 000003
【図２】
2017017643.tif 000004
【図３】
2017017643.tif 000005
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
第１無線基地局と、
コアネットワークに通信接続された第２無線基地局と、
前記第１無線基地局に通信接続された第１無線通信制御装置と、
前記コアネットワークに通信接続された第２無線通信制御装置と
を備え、
前記第２無線通信制御装置は、
前記第１無線基地局のカバーエリア内に存在する第１無線通信端末宛のデータを、前記コアネットワークから受信する第１データ受信部と、
前記第１データ受信部が受信した前記第１無線通信端末宛のデータを、前記第２無線基地局のカバーエリア内に存在して前記第１無線基地局に通信接続された第２無線通信端末宛のデータとしてカプセル化する第１カプセル化部と、
前記第１カプセル化部によってカプセル化されたデータを前記コアネットワークに送信する第２データ送信部と
を有し、
前記第１無線通信制御装置は、
前記第１カプセル化部によってカプセル化されたデータを、前記第２無線通信端末を用いて受信する第２データ受信部と、
前記第２データ受信部が受信したデータをデカプセル化する第１デカプセル化部と、
前記第１デカプセル化部によってデカプセル化されたデータを前記第１無線基地局に送信する第１データ送信部と
を有する、無線通信システム。
【請求項２】
前記第１無線通信制御装置は、
前記第１無線通信端末から送信された他の通信機器宛のデータを、前記第１無線基地局から受信する第３データ受信部と、
前記第３データ受信部が受信した前記他の通信機器宛のデータを、前記第２無線通信制御装置宛のデータとしてカプセル化する第２カプセル化部と、
前記第２カプセル化部によってカプセル化された前記第２無線通信制御装置宛のデータを、前記第２無線通信端末を用いて前記第２無線基地局に送信する第３データ送信部と
を有し、
前記第２無線通信制御装置は、
前記第３データ送信部によって送信されたデータを受信する第４データ受信部と、
前記第４データ受信部が受信したデータをデカプセル化する第２デカプセル化部と、
前記第２デカプセル化部がデカプセル化したデータを前記コアネットワークに送信する第４データ送信部と
を有する、請求項１に記載の無線通信システム。
【請求項３】
前記コアネットワークは、通信接続されたスイッチ及びＥＰＣを含み、
前記第２無線通信制御装置は、前記スイッチと前記ＥＰＣとの通信接続とは並列に、前記スイッチと前記ＥＰＣとの間に配置されており、
前記ＥＰＣは、前記第２無線基地局に通信接続されており、
前記第１データ受信部は、前記第１無線通信端末宛のデータを、前記ＥＰＣから受信し、
前記第２データ送信部は、前記第１カプセル化部によってカプセル化されたデータを、前記スイッチを介して前記ＥＰＣに送信する、請求項１に記載の無線通信システム。
【請求項４】
前記第１無線通信制御装置は、
前記第１無線通信端末から送信された他の通信機器宛のデータを、前記第１無線基地局から受信する第３データ受信部と、
前記第３データ受信部が受信した前記他の通信機器宛のデータを、前記第２無線通信制御装置宛のデータとしてカプセル化する第２カプセル化部と、
前記第２カプセル化部によってカプセル化された前記第２無線通信制御装置宛のデータを、前記第２無線通信端末を用いて前記第２無線基地局に送信する第３データ送信部と
を有し、
前記第２無線通信制御装置は、
前記第３データ送信部によって送信されたデータを、前記スイッチを介して前記ＥＰＣから受信する第４データ受信部と、
前記第４データ受信部が受信したデータをデカプセル化する第２デカプセル化部と、
前記第２デカプセル化部がデカプセル化したデータを前記ＥＰＣに送信する第４データ送信部と
を有する、請求項３に記載の無線通信システム。
【請求項５】
第１無線基地局と、
コアネットワークに通信接続された第２無線基地局と、
前記第１無線基地局に通信接続された第１無線通信制御装置と、
前記コアネットワークに通信接続された第２無線通信制御装置と
を備え、
前記第１無線通信制御装置は、
前記第１無線基地局のカバーエリア内に存在する第１無線通信端末から送信された他の通信機器宛のデータを、前記第１無線基地局から受信する第１データ受信部と、
前記第１データ受信部が受信した前記他の通信機器宛のデータを、前記第２無線通信制御装置宛のデータとしてカプセル化する第１カプセル化部と、
前記第１カプセル化部によってカプセル化された前記第２無線通信制御装置宛のデータを、前記第２無線基地局のカバーエリア内に存在して前記第１無線基地局に通信接続された第２無線通信端末を用いて前記第２無線基地局に送信する第１データ送信部と
を有し、
前記第２無線通信制御装置は、
前記第１データ送信部によって送信されたデータを受信する第２データ受信部と、
前記第２データ受信部が受信したデータをデカプセル化する第１デカプセル化部と、
前記第１デカプセル化部によってデカプセル化されたデータを前記コアネットワークに送信する第２データ送信部と
を有する、無線通信システム。
【請求項６】
前記コアネットワークは、通信接続されたスイッチ及びＥＰＣを含み、
前記第２無線通信制御装置は、前記スイッチと前記ＥＰＣとの通信接続とは並列に、前記スイッチと前記ＥＰＣとの間に配置されており、
前記ＥＰＣは、前記第２無線基地局に通信接続されており、
前記第２データ受信部は、前記第１データ送信部によって送信されたデータを、前記スイッチを介して前記ＥＰＣから受信し、
前記第２データ送信部は、前記第１デカプセル化部によってデカプセル化されたデータを、前記ＥＰＣに送信する、請求項５に記載の無線通信システム。
【請求項７】
第１無線基地局のカバーエリア内に存在する第１無線通信端末宛のデータを、コアネットワークから受信する第１データ受信部と、
前記第１データ受信部が受信した前記第１無線通信端末宛のデータを、前記コアネットワークに通信接続された第２無線基地局のカバーエリア内に存在して前記第１無線基地局に通信接続された第２無線通信端末宛のデータとしてカプセル化するカプセル化部と、
前記カプセル化部によってカプセル化されたデータを前記コアネットワークに送信する第１データ送信部と
を備える無線通信制御装置。
【請求項８】
前記第１無線基地局が前記第１無線通信端末から受信したデータが前記無線通信制御装置宛のデータとしてカプセル化されたデータを、前記第２無線通信端末及び前記第２無線基地局を介して受信する第２データ受信部と、
前記第２データ受信部が受信したデータをデカプセル化するデカプセル化部と、
前記デカプセル化部によってデカプセル化されたデータを前記コアネットワークに送信する第２データ送信部と
をさらに備える、請求項７に記載の無線通信制御装置。
【請求項９】
第１無線基地局のカバーエリア内に存在する第１無線通信端末から送信された他の通信機器宛のデータを、前記第１無線基地局から受信する第１データ受信部と、
前記第１データ受信部が受信した前記他の通信機器宛のデータを、コアネットワークに通信接続された他の無線通信制御装置宛のデータとしてカプセル化するカプセル化部と、
前記カプセル化部によってカプセル化された前記他の無線通信制御装置宛のデータを、前記コアネットワークに通信接続された第２無線基地局のカバーエリア内に存在する第２無線通信端末を用いて送信する第１データ送信部と
を備える無線通信制御装置。
【請求項１０】
前記第１無線通信端末宛のデータが前記第２無線通信端末宛のデータとしてカプセル化されたデータを前記第２無線通信端末から受信する第２データ受信部と、
前記第２データ受信部が受信したデータをデカプセル化するデカプセル化部と、
前記デカプセル化部によってデカプセル化されたデータを前記第１無線基地局に送信する第２データ送信部と
をさらに備える、請求項９に記載の無線通信制御装置。
【請求項１１】
コンピュータを、請求項７から１０のいずれか一項に記載の無線通信制御装置として機能させるためのプログラム。